(57)【要約】  【課題】発泡倍率の低下を防止する。【解決手段】放射ノズル９を有する起泡部３と、該起泡部３に放出区画の空気を供給する空気吸引部５と、を備えた高膨張泡消火設備であって；前記空気吸引部５に、ニクロム線１４と噴霧ノズル１６とを備えた水蒸気生成手段、又は、スチーム配管１０に連結されたスチームノズルＮを設ける。  【選択図】  図１
2008136541.tif 000002
【特許請求の範囲】
【請求項１】
放射ノズルを有する起泡部と、該起泡部に放出区画の空気を供給する空気吸引部と、を備えた高膨張泡消火設備であって；
前記空気吸引部に、水蒸気生成手段又は水蒸気供給手段を設けたことを特徴とする高膨張泡消火設備。
【請求項２】
前記水蒸気生成手段は、噴霧ノズルと、該噴霧ノズルから放出された水滴を蒸発させる加熱器と、を備えていることを特徴とする請求項１記載の高膨張泡消火設備。
【請求項３】
前記水蒸気供給手段は、スチーム配管に連続するスチームノズルを備えていることを特徴とする請求項１記載の高膨張泡消火設備。
【請求項４】
放出区画の空気を起泡部に供給しながら、該起泡部において放射ノズルから泡水溶液を放出して発泡用網に衝突させる高膨張泡消火設備の発泡方法であって；
前記空気吸引部に吸引した空気を水蒸気に接触させた後、前記起泡部に供給することを特徴とする高膨張泡消火設備の発泡方法。
【発明の詳細な説明】
【技術分野】
【０００１】
この発明は、石油タンクのピット、石油コンビナートのカルバート、或いは、船室、船倉等に用いられる高膨張泡消火設備及びその発泡方法に関するものであり、更に述べると、発泡倍率の低下を防止できる、高膨張泡消火設備及びその発泡方法に関するものである。
【背景技術】
【０００２】
泡消火設備では、放射ノズルから泡水溶液を放出し、それを発泡用網に衝突させて空気を吸い込ませることにより発泡させ、この泡で火源を埋め尽くし、窒息消火を行っている。この泡消火設備には、低発泡消火設備と高発泡（高膨張泡）消火設備とがある。
【０００３】
前記両消火設備では、発泡倍率が異なり、例えば、低発泡消火設備の発泡倍率は２０以下、高膨張泡消火設備の発泡倍率は、８０以上１０００未満、である。ここで発泡倍率とは、泡水溶液と生成された泡の体積比をいう。
【０００４】
高膨張泡、例えば、発泡倍率５００以上で泡を発生させるためには、放射ノズルの上流側から大量の空気を取り込む必要があるが、前記大量の空気を取り込む場合には、室外の空気を吸引する方式（「アウトサイドエア」という）が一般的である。
【０００５】
しかし、このアウトサイドエアでは、外部の空気を利用するため、建屋にダクトを貫設したり、隔壁に穴を開けて泡発生器を配設したりするので、コストが嵩む等の問題がある。
【０００６】
そこで、上記問題を解決するため、泡を放出する区画内の空気を吸引する方式（「インサイドエア」という）の高膨張泡消火設備が用いられている(例えば、特許文献１参照)。
【０００７】
【特許文献１】特開平６−１６５８３７号公報
【発明の開示】
【発明が解決しようとする課題】
【０００８】
インサイドエアの高膨張泡消火設備では、火災時に発生する煙の量、質によっては、発泡倍率が設計通りにならず、例えば、設計された発泡倍率が５００の場合には、実際の発泡倍率が１００、となってしまう場合もある。この様に発泡倍率が低下すると、泡で火源を完全に覆い尽くすことができなくなるので、効果的に窒息消火を行うことができなくなる。発泡倍率が低下する原因は、後で詳細に述べるが、主に空気中の煙の存在である。
【０００９】
この発明は、上記事情に鑑み、発泡倍率の低下を防止することを目的とする。
【課題を解決するための手段】
【００１０】
この発明は、放射ノズルを有する起泡部と、該起泡部に放出区画の空気を供給する空気吸引部と、を備えた高膨張泡消火設備であって；前記空気吸引部に、水蒸気生成手段又は水蒸気供給手段を設けたことを特徴とする。
【００１１】
この発明の前記水蒸気生成手段は、噴霧ノズルと、該噴霧ノズルから放出された水滴を蒸発させる加熱器と、を備えていることを特徴とする。この発明の前記水蒸気供給手段は、スチーム配管に連続するスチームノズルを備えていることを特徴とする。
【００１２】
この発明は、放出区画の空気を起泡部に供給しながら、該起泡部において放射ノズルから泡水溶液を放出して発泡用網に衝突させる高膨張泡消火設備の発泡方法であって；前記空気吸引部に吸引した空気を水蒸気に接触させた後、前記起泡部に供給することを特徴とする。
【発明の効果】
【００１３】
この発明は、以上のように構成したので、空気吸引部に吸引された空気中の煙は除去され、起泡部には清浄な空気が供給される。そのため、発泡倍率の低下を防止することができるので、効果的に消火を行うことができる。
【発明を実施するための最良の形態】
【００１４】
本件発明者は、高膨張泡消火設備の発泡倍率の低下原因について研究、実験したところ、「煙」に主な原因があることが分かった。この煙は、火災の発生により室（泡の放出区画）内に発生するが、液状の微粒子、例えば、粒径１μm以下の微粒子、となって室内に浮遊する。この微粒子が、空気吸引部により室内の空気を吸引したときに、空気と一緒になって起泡部に供給され、発泡倍率を低下させているのである。
【００１５】
そこで、本発明者は、起泡部に煙を除去した清浄な空気を供給すれば、前記課題は解決できるものと考え、その手段等を検討実験した。
その結果、起泡部に放出区画の空気を供給する空気吸引部に、水蒸気生成手段、又は、水蒸気供給手段を設ければ良いことが分かった。この水蒸気は、水滴中で最も粒径が小さく、表面積が大きいと言う特徴を備えている。そのため、該水蒸気に煙粒子を吸着させると、効率よく空気の洗浄を行うことができる。本件発明は、以上の知見に基づいてなされたものである。
【実施例】
【００１６】
この発明の第1実施例を図１により説明する。
泡の放出区画である部屋（室）１には、高膨張泡消火設備が設けられている。この消火設備は、例えば、発泡倍率５００であり、起泡部３と、該起泡部３に空気を供給する空気吸引部５と、を備えている。
【００１７】
起泡部３は、円筒状に形成され、その先端には、発泡用網（ネット）７が張設され、又、その内部には、前記網７と間隔をおいて対向する、複数の放射ノズル９が設けられている。この放射ノズル９は、泡水溶液を生成する混合器(図示省略)に連結されている。
【００１８】
空気吸引部５は、前記起泡部３と同径のダクトにより形成され、その内部には、スチームノズルＮが設けられている。このスチームノズルＮは、例えば、工場内のスチーム配管１０に連結されている。なお、スチームノズルＮの流量は、図示しない制御盤により適宜制御される。
【００１９】
次に本実施例の作動について説明する。
部屋１内で火災が発生すると、図示しない火災感知器が火災を検知し、制御盤に火災信号を送出する。
【００２０】
そうすると、該制御盤は、高膨張泡消火設備を起動させるので、空気吸引部５から室内空気、即ち、前記空気吸引部５が配設されている近傍の部屋（放出区画）の空気K、が吸引されるとともに、放射ノズル９から泡水溶液wが水滴状となって放出され、該水滴は、発泡用網７に衝突して微細化されながら空気を吸い込んで発泡する。この泡１２は、高膨張泡であるが、火源に向かって落下し、該火源を覆い尽くので、該火源の窒息消火、冷却消火などが行われる。
【００２１】
この時、部屋１内では火災に基く煙Ｈが発生しており、この煙Ｈは室内の空気Ｋと一緒になって空気吸引部５に吸引されるが、該吸引部５には、スチームノズルＮから水蒸気Ｓが噴出しているので、液状の微粒子である煙は、該水蒸気Ｓに吸着される。そのため、起泡部３には、煙を含まない空気、又は、極少量の煙を含む空気、即ち、清浄な空気Ｋが供給される。そのため、設計通りの発泡倍率を得ることができるので、効率よく消火することができる。
【００２２】
この発明の第2実施例を図２により説明する。
この実施例と第1実施例との相違点は、水蒸気を空気吸引部に供給する替りに、該空気吸引部内で水蒸気を生成することである。
この実施例では、空気吸引部５には、水蒸気生成手段が設けられているが、この水蒸気生成手段として、加熱器、例えば、ニクロム線１４と、噴霧ノズル１６とが用いられる。
【００２３】
空気吸引部５内をニクロム線１４により加熱し所定温度にした状態で、噴霧ノズル１６から水ｍを噴霧すると、該水ｍは蒸発して水蒸気となるが、該空気吸引部５を通る吸引空気は、この水蒸気に接触して煙粒子を吸着させる。この時、空気吸引部５内は、ニクロム線１４により加熱され高温となっているので、煙の粒子は蒸発しやすく、又、動きやすい状態となる。そのため、空気の洗浄効率を向上させることができる。
【図面の簡単な説明】
【００２４】
【図１】本発明の第１実施例を示す正面図である。
【図２】本発明の第２実施例を示す正面図である。
【符号の説明】
【００２５】
１    部屋
３    起泡部
５    空気吸引部
７    発泡用網
９    放射ノズル
１０  スチーム配管
１４  ニクロム線
１６  噴霧ノズル
Ｋ    空気
Ｈ    煙
Ｓ    水蒸気
【図１】
2008136541.tif 000003
【図２】
2008136541.tif 000004